(57)【要約】  データを複数のＣＰＲＩリンクに分散して転送し、データの転送効率を高める。  内部でのデータ転送をＣＰＲＩに基づいて行う基地局（１）の分割手段（２）は、転送するデータを分割する。転送手段（３）は、分割された分割データを、複数のＣＰＲＩリンク（４ａ〜４ｎ）を用いて転送する。受信手段（５）は、複数のＣＰＲＩリンク（４ａ〜４ｎ）より転送される分割データを受信する。復元手段（６）は、受信手段（５）によって受信された分割データを、元のデータに復元する。
2008114351.tif 000002
【特許請求の範囲】
【請求項１】
内部でのデータ転送を共通インターフェースに基づいた複数のリンクを介して行う基地局において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする基地局。
【請求項２】
前記転送手段は、前記復元手段が前記分割データを元の前記データに復元するための共通復元情報を前記複数のリンクの何れか１本を用いて転送することを特徴とする請求の範囲第１項記載の基地局。
【請求項３】
前記共通復元情報は、前記分割データを転送する前記複数のリンクの情報を含むことを特徴とする請求の範囲第２項記載の基地局。
【請求項４】
前記共通復元情報は、前記分割データを結合する順番の情報を含むことを特徴とする請求の範囲第２項記載の基地局。
【請求項５】
前記共通インターフェースがＣＰＲＩ（Common Public Radio Interface）であって、前記転送手段は、前記共通復元情報を前記ＣＰＲＩのVendor Specific Informationに含めて転送することを特徴とする請求の範囲第２項記載の基地局。
【請求項６】
前記復元手段は、前記Vendor Specific Informationに前記共通復元情報が含まれているか否かに基づいて、前記分割データを復元するか判断することを特徴とする請求の範囲第５項記載の基地局。
【請求項７】
前記共通インターフェースがＣＰＲＩであって、前記転送手段は、前記分割データをどのBasic Frameを用いて転送したかを示す個別復元情報を、前記分割データを転送する前記複数のＣＰＲＩリンクを用いて転送することを特徴とする請求の範囲第１項記載の基地局。
【請求項８】
前記転送手段は、前記個別復元情報を前記ＣＰＲＩのVendor Specific Informationに含めて転送することを特徴とする請求の範囲第７項記載の基地局。
【請求項９】
前記復元手段は、前記個別復元情報に基づいて、前記Basic Frameを用いて転送された前記分割データを復元することを特徴とする請求の範囲第８項記載の基地局。
【請求項１０】
内部でのデータ転送を共通インターフェースに基づいた複数のリンクを介して行う基地局の無線制御装置において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする無線制御装置。
【請求項１１】
内部でのデータ転送を共通インターフェースに基づいた複数のリンクを介して行う基地局の無線装置において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする無線装置。
【発明の詳細な説明】
【技術分野】
【０００１】
本発明は基地局、無線制御装置および無線装置に関し、特に内部でのデータ転送をＣＰＲＩに基づいて行う基地局、その基地局内の無線制御装置、およびその基地局内の無線装置に関する。
【背景技術】
【０００２】
携帯電話などの無線通信システムにおける基地局は、無線信号を処理するＲＥ（Radio Equipment）と、ＲＥを制御するＲＥＣ（Radio Equipment Control）とに分離することができる。このＲＥＣ−ＲＥ間を結ぶインターフェースとして、ＣＰＲＩ（Common Public Radio Interface）がある（例えば、非特許文献１参照）。【０００３】
ＣＰＲＩは、基地局内をＲＥとＲＥＣとに分離し、そのインターフェースをオープンにすることにより、基地局内の各部のマルチベンダ化を図ることができる。ＣＰＲＩは、その適用範囲として、ハードウェアによるレイヤであるレイヤＬ１とレイヤＬ２を規定している。【０００４】
図１０は、基地局のＣＰＲＩを説明する図である。図には、基地局１０１と、例えば、携帯電話である無線端末１１１とが示してある。
基地局１０１は、図に示すようにＲＥ１０２とＲＥＣ１０３とに分離することができる。ＲＥ１０２とＲＥＣ１０３は、ＣＰＲＩによって結ばれている。ＲＥ１０２とＲＥＣ１０３とをオープンなＣＰＲＩで結ぶことにより、基地局１０１内部のマルチベンダ化を図ることができる。【０００５】
図１１は、ＣＰＲＩのプロトコル構成の概略を示した図である。ＣＰＲＩでは、図に示すようなプロトコル構成に基づいて、ＲＥＣ−ＲＥ間のデータのやり取りを行う。例えば、図に示すIQ Dataは、デジタルベースバンド信号のユーザデータである。SYNC(Synchronization)は、フレーム同期、時間同期用のパラメータである。L1 Inband Protocolは、物理レイヤ上で使用されるリンク関連のプロトコルであり、システムスタートアップ時など、レイヤＬ１に関連した処理を行うプロトコルである。Control & Management Planeは、ＲＥＣ−ＲＥ間の制御管理情報を転送するのに用いられるプロトコルである。Vendor Specificは、Vendor Specific Informationを転送するのに用いられるプロトコルであり、ユーザが自由に使用することができる領域である。【０００６】
図１２は、ＣＰＲＩのフレーム構成例を示した図のその１である。ＣＰＲＩのフレームは、図に示すように、Basic Frame、Hyper Frame、UMTS(Universal Mobile Telecommunications Systems) radio Frameの階層構造を持つ。２５６個のBasic Frameの集合体がHyper Frameとなり、１５０個のHyper Frameの集合体がUMTS radio Frameとなる。Hyper Frameは、インデックスとしてＺ０〜Ｚ１４９が付与され、Basic Frameは、インデックスとしてＸ０〜Ｘ２５５が付与される。【０００７】
ＣＰＲＩのフレーム構成の基本となるBasic Frameは、１Ｔｃ＝１／３．８４ＭＨｚ＝２６０．４１６６６７ｎＳと定義される。Basic Frameは、図に示すように、８ｂｉｔ×１６Ｗｏｒｄのデータを１単位とし、Ｙ０〜Ｙ３までの値で管理される。なお、図では、Ｙ０の例が示してある（Ｙ１〜Ｙ３については以下で説明する）。【０００８】
Basic Frameの先頭の１バイトは、コントロールワードとして定義される。コントロールワードには、Hyper Frameのインデックス値であるＺ０〜Ｚ１４９と、Basic Frameのインデックス値であるＸ０〜１１５５と、Basic Frameの行番号であるＹ０〜Ｙ３とが格納される。【０００９】
Basic Frameは、コントロールワード内に設定されるＺ．Ｘ．Ｙ（Ｚ，Ｘ，Ｙ：正の整数）によって、UMTS radio Frame内のどこに配置されているか示すことができる。すなわち、Ｚ．Ｘ．Ｙは、Basic Frameのアドレスと言える。以下では、Ｚ．Ｘ．Ｙをコントロールワードアドレスと呼ぶこともある。【００１０】
図１３は、コントロールワードアドレスを説明する図である。図に示すように、Hyper Frame内（Basic Frame内）のコントロールワードには、Basic Frameの位置を指し示すコントロールワードアドレスが格納される。【００１１】
例えば、あるBasic Frameのコントロールワードに、Ｚ．１．０（Ｚは任意の数とする）が格納されているとする。この場合、Ｚ．１．０のコントロールワードアドレスを有するBasic Frameは、UMTS radio Frame内のインデックスＺのHyper Frameに配置され、インデックスＸが１、行番号Ｙが０のBasic Frameに配置されていると認識することができる。【００１２】
図１４は、ＣＰＲＩのフレーム構成例を示した図のその２である。図のＣＰＲＩのフレームでは、図１２のＣＰＲＩのフレームに対し、Basic Frameの行番号がＹ０，Ｙ１の２行となっている。よって、図に示すＣＰＲＩのフレーム構成例の場合、コントロールワードアドレスのＹの値は、０，１の２値をとりうる。【００１３】
図１５は、ＣＰＲＩのフレーム構成例を示した図のその３である。図のＣＰＲＩのフレームでは、図１２のＣＰＲＩのフレームに対し、Basic Frameの行番号がＹ０〜Ｙ３の４行となっている。よって、図に示すＣＰＲＩのフレーム構成例の場合、コントロールワードアドレスのＹの値は、０〜３の４値をとりうる。【００１４】
図１６は、ＣＰＲＩのラインビットレートを説明する図である。ＣＰＲＩのラインビットレートは、行番号Ｙの値によって変わる。図に示すように、Ｙのとりうる値がＹ０の１値の場合、ラインビットレートは、６１４．４Ｍｂｐｓとなる。Ｙのとりうる値がＹ０，Ｙ１の２値の場合、ラインビットレートは、１２２８．８Ｍｂｐｓとなる。Ｙのとりうる値がＹ０〜Ｙ３の４値の場合、ラインビットレートは、２４５７．６Ｍｂｐｓとなる。【００１５】
すなわち、図１２に示したＣＰＲＩのフレーム構成例では、ラインビットレートは、６１４．４Ｍｂｐｓとなる。図１４に示したＣＰＲＩのフレーム構成例では、Basic Frameのデータ単位が２倍となるため、ラインビットレートは、６１４．４Ｍｂｐｓの２倍の１２２８．８Ｍｂｐｓとなる。図１５に示したＣＰＲＩのフレーム構成例では、Basic Frameのデータ単位が４倍となるため、ラインビットレートは、６１４．４Ｍｂｐｓの４倍の２４５７．６Ｍｂｐｓとなる。【００１６】
コントロールワードは、Hyper Frameごと（２５６個のコントロールワード）で１つの組になっており、その位置（２５６個のうちの何番目か）によって使用方法が規定されている。【００１７】
図１７は、コントロールワードのマッピングを示した図である。Hyper Frameには、図に示すように、ＣＰＲＩを構成するプロトコルが割り当てられる。
例えば、コントロールワードアドレスＺ．０．０，Ｚ．６４．０，Ｚ．１２８．０，Ｚ．１９２．０のBasic Frameには、Sync & Timingが割り当てられる。そして、それぞれのアドレス内には、Sync & Timingの所定の情報が格納される。また、コントロールワードアドレスＺ．２．０，Ｚ．６６．０，Ｚ．１３０．０，Ｚ．１９４．０のBasic Frameには、L1 Inband Protocolが割り当てられる。そして、それぞれのアドレス内には、L1 Inband Protocolの所定の情報が格納される。【００１８】
コントロールワードは、Hyper Frameごとで１つの組になっている。よって、ＣＰＲＩのプロトコルは、２５６個のコントロールワードを全て受信して、初めてどのようなプロトコル構成か認識することができる。【００１９】
なお、図１７のSync & Timingは、図１１のSYNCとTime Division Multiplexingに対応する。図１７のL1 Inband Protocolは、図１１のL1 Inband Protocolに対応する。図１７のVendor Specificは、図１１のVendor Specificに対応する。図１７のslow C & MとFast C & Mは、図１１のControl & Management Planeに対応する。【００２０】
また、図のマッピングは、ＣＰＲＩのラインビットレートが６１４．４Ｍｂｐｓの場合を示している。すなわち、行番号がＹ０の場合の例を示している。他のラインビットレートの場合も同様に、コントロールワードは、Hyper Frameごとで１つの組になり、ＣＰＲＩを構成するプロトコルが割り当てられる。【００２１】
ここで、基地局のセクタとセルについて説明する。
図１８は、基地局のセクタとセルを説明する図である。図に示すように、基地局は、無線端末と無線通信するエリアをセクタＡ〜Ｃに分割する。そして、各セクタをさらにキャリアｆ１〜ｆ３に分割する。【００２２】
セルＤは、セクタＡ〜Ｃとキャリアｆ１〜ｆ３の組み合わせとなる。図の例の場合では、セルＤは、９個存在することになる。
ＣＰＲＩでは、１セクタに１ＣＰＲＩリンクが割り当てられる。従って、ＣＰＲＩでは、他のＣＰＲＩリンクに跨って、他のセクタのデータを転送することはできない。【００２３】
図１９は、セクタとＣＰＲＩリンクの関係を説明する図である。図には、図１０で示したＲＥ１０２とＲＥＣ１０３が示してある。ＲＥ１０２とＲＥＣ１０３は、図に示すように、ｎ本のＣＰＲＩリンク１２１ａ，１２１ｂ，１２１ｃ，…，１２１ｎで結ばれている。【００２４】
ＣＰＲＩでは、１本のＣＰＲＩリンクに１セクタを割り当て、データ転送を行う。例えば、図１８で示したセクタＡをＣＰＲＩリンク１２１ａに割り当ててデータ転送を行う。セクタＢをＣＰＲＩリンク１２１ｂに割り当ててデータ転送を行う。セクタＣをＣＰＲＩリンク１２１ｃに割り当ててデータ転送を行う。【００２５】
つまり、ＣＰＲＩでは、１ＣＰＲＩリンク内に複数のセルのデータをシェアして転送することができる。そして、１ＣＰＲＩリンクあたり、最大２４５７．６Ｍｂｐｓのデータ転送が可能となる。しかし、上述したようにＣＰＲＩでは、他のＣＰＲＩリンクに跨って、他のセクタのデータを転送することはできない。例えば、上記例の場合、セクタＡのデータを、ＣＰＲＩリンク１２１ｂ，１２１ｃで転送することはできない。
【非特許文献１】"CPRI Specification V2.0", [online], [平成１８年９月１３日検索], インターネット＜URL:http//www.cpri.info/jp/spec.html＞
【発明の開示】
【発明が解決しようとする課題】
【００２６】
このように、ＣＰＲＩでは、他のＣＰＲＩリンクに跨って、他のセクタのデータを転送することができないため、ＣＰＲＩリンクの１つにデータが集中すると、他のＣＰＲＩリンクに余裕があっても、集中したデータを他のＣＰＲＩリンクに振り分けることができない。【００２７】
そのため、ＲＥＣ−ＲＥ間のデータ転送能力は、１ＣＰＲＩリンクでの最大データ転送能力に左右され、更なる大容量転送のニーズに対応することができないという問題点があった。【００２８】
本発明はこのような点に鑑みてなされたものであり、データを他のリンクに分散して転送することができるようにし、データの転送効率を高めた基地局、無線制御装置、および無線装置を提供することを目的とする。
【課題を解決するための手段】
【００２９】
本発明では上記問題を解決するために、図１に示すような内部でのデータ転送を共通インターフェースに基づいた複数のリンクを介して行う基地局１において、転送するデータを分割する分割手段２と、分割された分割データを複数のリンクを用いて転送する転送手段３と、複数のリンクより転送される分割データを受信する受信手段５と、受信された分割データを元のデータに復元する復元手段６と、を有することを特徴とする基地局１が提供される。【００３０】
このような基地局によれば、転送するデータを分割し、分割データを複数のリンクで転送する。そして、転送した分割データを元のデータに復元する。
これにより、リンクの何れかにデータが集中しても、複数のリンクに分散して転送される。
【発明の効果】
【００３１】
本発明の基地局では、転送するデータを分割し、分割データを複数のリンクで転送する。そして、転送した分割データを元のデータに復元するようにした。
これによって、リンクの何れかにデータが集中しても、複数のリンクに分散して転送されるので、データの転送効率を高めることができる。【００３２】
本発明の上記および他の目的、特徴および利点は本発明の例として好ましい実施の形態を表す添付の図面と関連した以下の説明により明らかになるであろう。
【図面の簡単な説明】
【００３３】
【図１】基地局の概要を示した図である。
【図２】基地局のＲＥとＲＥＣのブロック構成を示した図である。
【図３】共通制御情報と個別制御情報のマッピングを説明する図である。
【図４】個別制御情報のマッピングを説明する図のその１である。
【図５】個別制御情報のマッピングを説明する図のその２である。
【図６】復元したデータを示した図である。
【図７】無線送信機、無線受信機、および呼制御部も示した機能ブロック構成の図である。
【図８】基地局の上りデータにおける動作を示したフローチャートである。
【図９】基地局の下りデータにおける動作を示したフローチャートである。
【図１０】基地局のＣＰＲＩを説明する図である。
【図１１】ＣＰＲＩのプロトコル構成の概略を示した図である。
【図１２】ＣＰＲＩのフレーム構成例を示した図のその１である。
【図１３】コントロールワードアドレスを説明する図である。
【図１４】ＣＰＲＩのフレーム構成例を示した図のその２である。
【図１５】ＣＰＲＩのフレーム構成例を示した図のその３である。
【図１６】ＣＰＲＩのラインビットレートを説明する図である。
【図１７】コントロールワードのマッピングを示した図である。
【図１８】基地局のセクタとセルを説明する図である。
【図１９】セクタとＣＰＲＩリンクの関係を説明する図である。
【発明を実施するための最良の形態】
【００３４】
以下、本発明の原理を図面を参照して詳細に説明する。
図１は、基地局の概要を示した図である。図に示す基地局１は、内部でのデータ転送をＣＰＲＩに基づいて行う。基地局１は、分割手段２、転送手段３、ＣＰＲＩリンク４ａ〜４ｎ、受信手段５、および復元手段６を有している。【００３５】
分割手段２は、転送するデータを分割する。
転送手段３は、分割された分割データを、複数のＣＰＲＩリンク４ａ〜４ｎを用いて転送する。例えば、３つのＣＰＲＩリンク４ａ〜４ｃを用いて転送する。または、ｎ個のＣＰＲＩリンク４ａ〜４ｎを用いて転送する。【００３６】
受信手段５は、複数のＣＰＲＩリンク４ａ〜４ｎより転送される分割データを受信する。
復元手段６は、受信手段５によって受信された分割データを、元のデータに復元する。すなわち、分割手段２に入力されたデータに復元する。【００３７】
このように基地局１では、ＣＰＲＩで転送するデータを分割し、分割データを複数のＣＰＲＩリンク４ａ〜４ｎで転送する。そして、転送した分割データを元のデータに復元するようにした。【００３８】
これによって、ＣＰＲＩリンク４ａ〜４ｎの何れかにデータが集中しても、複数のＣＰＲＩリンク４ａ〜４ｎに分散して転送されるので、データの転送効率を高めることができる。【００３９】
次に、本発明の実施の形態を図面を参照して詳細に説明する。
図２は、基地局のＲＥとＲＥＣのブロック構成を示した図である。図に示す基地局は、例えば、３ＧＰＰ（3rd Generation Partnership Project）の規格に基づいて、携帯電話などの無線端末と無線通信を行う基地局である。基地局は、図に示すように、ＲＥ１０とＲＥＣ２０とに分離されている。ＲＥ１０は、ＣＰＲＩリンク終端部１１を有し、ＲＥＣ２０は、ＣＰＲＩリンク終端部２１を有している。【００４０】
ＣＰＲＩリンク終端部１１，２１は、Ｎ本のＣＰＲＩリンク３１ａ，３１ｂ，３１ｃ，…，３１ｎによって結ばれている。ＲＥ１０，ＲＥＣ２０は、ＣＰＲＩリンク３１ａ，３１ｂ，３１ｃ，…，３１ｎを介して、データ転送を行う。【００４１】
ＣＰＲＩリンク終端部１１には、ＲＥＣ２０に転送するデータが入力される。ＣＰＲＩリンク終端部１１は、入力されたデータを分割し、ＣＰＲＩリンク３１ａ，３１ｂ，３１ｃ，…，３１ｎに分散してデータ転送する。【００４２】
例えば、図の例では、ＣＰＲＩリンク終端部１１は、転送するデータＤを３つのデータＤ１〜Ｄ３に分割する。ＣＰＲＩリンク終端部１１は、分割したデータＤ１をＣＰＲＩリンク３１ａで転送し、データＤ２をＣＰＲＩリンク３１ｂで転送し、データＤ３をＣＰＲＩリンク３１ｃで転送する。【００４３】
ＣＰＲＩリンク終端部１１は、ＣＰＲＩリンク３１ａ，３１ｂ，３１ｃ，…，３１ｎの全体におけるデータ分割に関する共通制御情報を生成する。また、ＣＰＲＩリンク終端部１１は、ＣＰＲＩリンク３１ａ，３１ｂ，３１ｃ，…，３１ｎの個別におけるデータ分割に関する個別制御情報（図示していない）を生成する。共通制御情報は、Ｎ本のＣＰＲＩリンク３１ａ，３１ｂ，３１ｃ，…，３１ｎのうちの１本を用いてＣＰＲＩリンク終端部２１に転送され、個別制御情報は、分割されたデータを転送するＣＰＲＩリンク３１ａ，３１ｂ，３１ｃ，…，３１ｎのそれぞれを用いて転送される。【００４４】
図の例の場合、共通制御情報は、ＣＰＲＩリンク３１ａを用いてＣＰＲＩリンク終端部２１に転送される。個別制御情報は、分割されたデータを転送するＣＰＲＩリンク３１ａ，３１ｂ，３１ｃのそれぞれで転送される。【００４５】
共通制御情報には、分割されたデータがどのＣＰＲＩリンク３１ａ，３１ｂ，３１ｃ，…，３１ｎを用いて転送するのかを示す情報と、転送する総データ量を示す情報と、ＣＰＲＩリンク３１ａ，３１ｂ，３１ｃ，…，３１ｎで転送した分割されたデータをどのような順序で結合するのかを示す情報とが含まれる。【００４６】
例えば、図の例において、転送するデータＤの総データ量を１０５バイト（７×１５バイト）とする。分割されたデータＤ１〜Ｄ３は、ＣＰＲＩリンク３１ａ，３１ｂ，３１ｃを用いて転送されるとする。この場合、共通制御情報には、分割されたデータＤ１〜Ｄ３は、ＣＰＲＩリンク３１ａ，３１ｂ，３１ｃを用いて転送される旨の情報が含まれる。また、転送するデータＤの総データ量は、７×１５バイトである旨の情報が含まれる。さらに、分割されたデータＤ１〜Ｄ３は、ＣＰＲＩリンク３１ａ，３１ｂ，３１ｃの順番で結合する旨の情報が含まれる。【００４７】
個別制御情報には、各ＣＰＲＩリンク内でのデータの、結合する数を示す情報と、ＣＰＲＩリンク内でどのBasic Frameを用いてデータを転送したかを示す情報とが含まれる。
例えば、図の例において、分割されたデータＤ１を転送するＣＰＲＩリンク３１ａでは、データＤ１をコントロールワードアドレスＺ．２１．０，Ｚ．２２．０，Ｚ．２３．０のBasic Frameで転送するとする。すなわち、データＤ１をさらに３つに分割してBasic Frameで転送するとする。この場合、ＣＰＲＩリンク３１ａの個別制御情報には、データを結合する数の情報として‘３’が含まれる。また、どのBasic Frameを用いてデータを転送したかを示す情報として、コントロールワードアドレスＺ．２１．０，Ｚ．２２．０，Ｚ．２３．０が含まれる。【００４８】
分割されたデータＤ２を転送するＣＰＲＩリンク３１ｂでは、データＤ２をコントロールワードアドレスＺ．２１．０，Ｚ．２２．０のBasic Frameで転送するとする。すなわち、データＤ２をさらに２つに分割してBasic Frameで転送するとする。この場合、ＣＰＲＩリンク３１ｂの個別制御情報には、データを結合する数の情報として‘２’が含まれる。また、どのBasic Frameを用いてデータを転送したかを示す情報として、コントロールワードアドレスＺ．２１．０，Ｚ．２２．０が含まれる。【００４９】
分割されたデータＤ３を転送するＣＰＲＩリンク３１ｃでは、データＤ３をコントロールワードアドレスＺ．２１．０，Ｚ．２２．０のBasic Frameで転送するとする。すなわち、データＤ３をさらに２つに分割してBasic Frameで転送するとする。この場合、ＣＰＲＩリンク３１ｃの個別制御情報には、データを結合する数の情報として‘２’が含まれる。また、どのBasic Frameを用いてデータを転送したかを示す情報として、コントロールワードアドレスＺ．２１．０，Ｚ．２２．０が含まれる。【００５０】
なお、Basic Frameの大きさは、１６バイト（８ｂｉｔ×１６Ｗｏｒｄ）である。そのうち、１バイトは、コントロールワードに使用される。よって、上記例のコントロールワードアドレス（７個）で転送されるデータＤ１〜Ｄ３の総データ量は、７×１５バイトとなる。この値は、共通制御情報に含まれる総データ量と一致する。【００５１】
ＣＰＲＩリンク終端部２１は、ＣＰＲＩリンク終端部１１から転送される共通制御情報と個別制御情報とを用いて、分割されたデータを元のデータに復元する。
例えば、図の例において、ＣＰＲＩリンク終端部２１が受信する共通制御情報には、分割されたデータＤ１〜Ｄ３は、ＣＰＲＩリンク３１ａ，３１ｂ，３１ｃを用いて転送される旨の情報が含まれている。よって、ＣＰＲＩリンク終端部２１は、ＣＰＲＩリンク３１ａ，３１ｂ，３１ｃより受信されるデータを結合する必要があると認識できる。そして、ＣＰＲＩリンク終端部２１は、各ＣＰＲＩリンク３１ａ，３１ｂ，３１ｃより受信された個別制御情報より、各ＣＰＲＩリンク３１ａ，３１ｂ，３１ｃにおいて、どのBasic Frameでデータが転送されたか認識できる。【００５２】
また、ＣＰＲＩリンク終端部２１は、個別制御情報より、ＣＰＲＩリンク３１ａでは、コントロールワードアドレスＺ．２１．０，Ｚ．２２．０，Ｚ．２３．０のBasic FrameでデータＤ１が転送されたと認識できる。また、ＣＰＲＩリンク３１ｂでは、コントロールワードアドレスＺ．２１．０，Ｚ．２２．０のBasic FrameでデータＤ２が転送されたと認識できる。さらに、ＣＰＲＩリンク３１ｃでは、コントロールワードアドレスＺ．２１．０，Ｚ．２２．０のBasic FrameでデータＤ３が転送されたと認識できる。これにより、各ＣＰＲＩリンク３１ａ，３１ｂ，３１ｃ内において、分割されたデータＤ１，Ｄ２，Ｄ３が復元できる。【００５３】
なお、各ＣＰＲＩリンクでは、分割されたデータは、小さいコントロールワードアドレスから順に分割されて格納されているとする。例えば、ＣＰＲＩリンク３１ａでは、コントロールワードアドレスＺ．２１．０，Ｚ．２２．０，Ｚ．２３．０の順にデータを組み合わせれば、分割されたデータＤ１を復元できる。【００５４】
ＣＰＲＩリンク終端部２１は、共通制御情報より、結合する分割データＤ１〜Ｄ３の結合順序をデータＤ１，Ｄ２，Ｄ３と認識でき、分割されたデータをデータＤ１，Ｄ２，Ｄ３の順に結合してデータＤを復元する。なお、転送されるデータＤの総データ量も共通制御情報より認識でき、適正にデータＤが受信できたか判断することもできる。【００５５】
以上のように、基地局のＲＥ１０とＲＥＣ２０は、データを分割し、複数のＣＰＲＩリンク３１ａ，３１ｂ，３１ｃ，…，３１ｎに分散して転送することができる。
なお、上記では、ＲＥ１０からＲＥＣ２０にデータが転送されるとしたが、ＲＥＣ２０からＲＥ１０へも同様にデータが転送される。すなわち、ＣＰＲＩリンク終端部２１は、ＣＰＲＩリンク終端部１１の機能を備え、ＣＰＲＩリンク終端部１１は、ＣＰＲＩリンク終端部２１の機能を備えている。【００５６】
次に、分割されたデータ、共通制御情報、および個別制御情報がＣＰＲＩのフレームにどのようにマッピングされて転送されるのか図を用いて説明する。
図３は、共通制御情報と個別制御情報のマッピングを説明する図である。図のＣＰＲＩのマッピングは、図２のＣＰＲＩリンク３１ａで転送されるＣＰＲＩフレームのマッピング例を示している。【００５７】
ＣＰＲＩフレームのVendor Specificは、ユーザで自由に使用することができる領域である。よって、ＣＰＲＩフレームのVendor Specificに、共通制御情報と個別制御情報とが格納される。【００５８】
例えば、ＣＰＲＩフレームのVendor Specificに、ＣＰＲＩリンク間結合対象情報、総データ量、およびＣＰＲＩリンク間結合順序情報が格納される。ＣＰＲＩリンク間結合対象情報、総データ量、およびＣＰＲＩリンク間結合順序情報は、共通制御情報であり、それぞれ、上述した分割されたデータがどのＣＰＲＩリンクを用いて転送するのかを示す情報、転送する総データ量を示す情報、およびＣＰＲＩリンクで転送した分割されたデータをどのような順序で結合するのかを示す情報が対応する。図のＣＰＲＩリンク間結合対象情報は、図２で説明した例より、ＣＰＲＩリンク３１ａ（図中Ａ），ＣＰＲＩリンク３１ｂ（図中Ｂ），ＣＰＲＩリンク３１ｃ（図中Ｃ）となっている。総データ量は、７×１５バイトとなっている。ＣＰＲＩリンク間結合順序情報は、Ａ，Ｂ，Ｃの順となっている。【００５９】
また、ＣＰＲＩフレームのVendor Specificに、ＣＰＲＩリンク内結合数、およびコントロールワードアドレスが格納される。ＣＰＲＩリンク内結合数およびコントロールワードアドレスは、個別制御情報であり、それぞれ、上述した各ＣＰＲＩリンク内でのデータの、結合する数を示す情報およびＣＰＲＩリンク内でどのBasic Frameを用いてデータを転送したかを示す情報が対応する。図のＣＰＲＩリンク内結合数は、図２で説明した例より、‘３’となっている。コントロールワードアドレスは、Ｚ．２１．０，Ｚ．２２．０，Ｚ．２３．０となっている。図のＣＰＲＩフレームのコントロールワードアドレスＺ．２１．０，Ｚ．２２．０，Ｚ．２３．０のBasic Frameに、分割されたデータＤ１が１５バイトずつ格納されることになる。【００６０】
なお、図では、コントロールワードアドレスＺ．２１．０，Ｚ．２２．０，Ｚ．２３．０は、Fast C & Mの領域を指し示しているが、特にこれに限定されない。すなわち、分割されたデータＤ１を他の領域に格納するようにしてもよい。【００６１】
また、分割されたデータＤ１は、他のHyper Frameに格納するようにしてもよい。すなわち、前記のコントロールワードアドレスのＺ値は、異なる値であってもよい。
図４は、個別制御情報のマッピングを説明する図のその１である。図のＣＰＲＩのフレーム構成例は、図２のＣＰＲＩリンク３１ｂで転送されるＣＰＲＩフレームのマッピング例を示している。よって、図のマッピングには、個別制御情報のみが含まれている。【００６２】
図に示すように、ＣＰＲＩフレームのVendor Specificに、ＣＰＲＩリンク内結合数およびコントロールワードアドレスが格納される。ＣＰＲＩリンク内結合数は、図２で説明した例より、‘２’となっている。分割されたデータＤ２は、コントロールワードアドレスＺ．２１．０，Ｚ．２２．０のBasic Frameに格納されるとなっている。【００６３】
なお、図では、コントロールワードアドレスＺ．２１．０，Ｚ．２２．０は、Fast C & Mの領域を指し示しているが、特にこれに限定されない。すなわち、分割されたデータＤ２を他の領域に格納するようにしてもよい。【００６４】
また、分割されたデータＤ２は、他のHyper Frameに格納するようにしてもよい。すなわち、前記のコントロールワードアドレスのＺ値は、異なる値であってもよい。
図５は、個別制御情報のマッピングを説明する図のその２である。図のＣＰＲＩのフレーム構成例は、図２のＣＰＲＩリンク３１ｃで転送されるＣＰＲＩフレームのマッピング例を示している。よって、図のマッピングには、個別制御情報のみが含まれている。【００６５】
図に示すように、ＣＰＲＩフレームのVendor Specificに、ＣＰＲＩリンク内結合数およびコントロールワードアドレスが格納される。ＣＰＲＩリンク内結合数は、図２で説明した例より、‘２’となっている。分割されたデータＤ３は、コントロールワードアドレスＺ．２１．０，Ｚ．２２．０のBasic Frameに格納されるとなっている。【００６６】
なお、図では、コントロールワードアドレスＺ．２１．０，Ｚ．２２．０は、Fast C & Mの領域を指し示しているが、特にこれに限定されない。すなわち、分割されたデータＤ３を他の領域に格納するようにしてもよい。【００６７】
また、分割されたデータＤ３は、他のHyper Frameに格納するようにしてもよい。すなわち、前記のコントロールワードアドレスのＺ値は、異なる値であってもよい。
データ結合について図を用いて説明する。【００６８】
図６は、復元したデータを示した図である。図２のＣＰＲＩリンク終端部２１は、ＣＰＲＩリンク３１ａで受信したＣＰＲＩフレームに含まれる共通制御情報と、ＣＰＲＩリンク３１ａ，３１ｂ，３１ｃで受信したＣＰＲＩフレームに含まれる個別制御情報とから、ＣＰＲＩフレームに含まれるデータを抽出し、データＤを復元する。【００６９】
例えば、ＣＰＲＩリンク終端部２１は、ＣＰＲＩリンク３１ａより、図３に示したマッピングのＣＰＲＩフレームを受信する。ＣＰＲＩリンク終端部２１は、受信したＣＰＲＩフレームの共通制御情報より、データ結合するＣＰＲＩリンクは、ＣＰＲＩリンク３１ａ，３１ｂ，３１ｃであると認識する。また、総データ量は、７×１５バイトと認識する。さらに、ＣＰＲＩリンク間のデータを結合する順序は、ＣＰＲＩリンク３１ａ，３１ｂ，３１ｃの順と認識する。【００７０】
また、ＣＰＲＩリンク終端部２１は、ＣＰＲＩリンク３１ａから受信したＣＰＲＩフレームの個別制御情報より、ＣＰＲＩリンク３１ａ内のデータ結合数は、‘３’であると認識する。そして、そのデータは、コントロールワードアドレスＺ．２１．０，Ｚ．２２．０に格納されていると認識する。これにより、ＣＰＲＩリンク終端部２１は、図６に示すように、分割されたデータＤ１を復元することができる。【００７１】
また、ＣＰＲＩリンク終端部２１は、ＣＰＲＩリンク３１ｂより、図４に示したマッピングのＣＰＲＩフレームを受信する。ＣＰＲＩリンク終端部２１は、受信したＣＰＲＩフレームの個別制御情報より、ＣＰＲＩリンク３１ｂ内のデータ結合数は、‘２’であると認識する。そして、そのデータは、コントロールワードアドレスＺ．２１．０，Ｚ．２２．０に格納されていると認識する。これにより、ＣＰＲＩリンク終端部２１は、図６に示すように、分割されたデータＤ２を復元することができる。【００７２】
また、ＣＰＲＩリンク終端部２１は、ＣＰＲＩリンク３１ｃより、図５に示したマッピングのＣＰＲＩフレームを受信する。ＣＰＲＩリンク終端部２１は、受信したＣＰＲＩフレームの個別制御情報より、ＣＰＲＩリンク３１ｃ内のデータ結合数は、‘２’であると認識する。そして、そのデータは、コントロールワードアドレスＺ．２１．０，Ｚ．２２．０に格納されていると認識する。これにより、ＣＰＲＩリンク終端部２１は、図６に示すように、分割されたデータＤ３を復元することができる。【００７３】
そして、ＣＰＲＩリンク終端部２１は、共通制御情報に含まれていたデータ結合順序（ＣＰＲＩリンク３１ａ，３１ｂ，３１ｃの順）に基づき、分割されたデータＤ１，Ｄ２，Ｄ３を順に結合し、データＤを復元する。【００７４】
図２で示したＲＥ１０は、無線送信機および無線受信機を備え、ＲＥＣ２０は、呼制御部を備えている。
図７は、無線送信機、無線受信機、および呼制御部も示した機能ブロック構成の図である。図において、図２と同じものには同じ符号を付し、その説明を省略する。【００７５】
無線受信機１２は、携帯電話などの無線端末から無線送信されるデータを受信する。無線受信機１２は、受信したデータをＣＰＲＩリンク終端部１１へ出力する。
無線送信機１３は、ＣＰＲＩリンク終端部１１から出力されるデータを、携帯電話などの無線端末に無線送信する。【００７６】
ＣＰＲＩリンク終端部１１は、無線受信機１２が受信したデータをＣＰＲＩに基づいて、ＲＥＣ２０のＣＰＲＩリンク終端部２１へ転送する。ＣＰＲＩリンク終端部２１は、ＣＰＲＩリンク終端部１１から受信したデータを呼制御部２２へ出力する。呼制御部２２は、受信したデータに基づいて、呼処理等を行う。【００７７】
また、呼制御部２２から出力されるデータは、ＣＰＲＩリンク終端部２１を介して、ＲＥ１０のＣＰＲＩリンク終端部１１へ転送される。ＣＰＲＩリンク終端部１１は、受信したデータを無線送信機１３へ出力する。無線送信機１３は、受信したデータを無線端末に無線送信する。【００７８】
以下、基地局の動作を、フローチャートを用いて説明する。
図８は、基地局の上りデータにおける動作を示したフローチャートである。基地局は、無線受信機１２で受信された上りデータを以下のステップに基づいて呼制御部２２へ転送する。【００７９】
ステップＳ１において、ＲＥ１０のＣＰＲＩリンク終端部１１は、無線受信機１２からデータを受信する。
ステップＳ２において、ＣＰＲＩリンク終端部１１は、無線受信機１２から受信したデータの分割が必要か否か判断する。例えば、ＣＰＲＩリンク終端部１１は、受信したデータの大きさとしきい値とを比較して、データの分割が必要か否か判断する。しきい値は、例えば、１ＣＰＲＩリンクで転送できるデータ転送量である。ＣＰＲＩリンク終端部１１は、データの分割が必要であると判断した場合、ステップＳ３へ進む。データの分割が必要でないと判断した場合、ステップＳ６へ進む。なお、データ分割の有無は、オペレータの設定により、予め固定的に決めておくこともできる。【００８０】
ステップＳ３において、ＣＰＲＩリンク終端部１１は、分割したデータを転送するＣＰＲＩリンク３１ａ，３１ｂ，３１ｃ，…，３１ｎを選択する。例えば、ＣＰＲＩリンク終端部１１は、予め決まっているＣＰＲＩリンク３１ａ，３１ｂ，３１ｃ，…，３１ｎを選択する。または、全てのＣＰＲＩリンク３１ａ，３１ｂ，３１ｃ，…，３１ｎを選択する。または、転送量の少ないＣＰＲＩリンク３１ａ，３１ｂ，３１ｃ，…，３１ｎを所定数選択する。ＣＰＲＩリンクの選択方法は、オペレータによって、設定することができる。【００８１】
また、ＣＰＲＩリンク終端部１１は、共通制御情報を転送するＣＰＲＩリンク３１ａ，３１ｂ，３１ｃ，…，３１ｎを１つ選択する。このＣＰＲＩリンク３１ａ，３１ｂ，３１ｃ，…，３１ｎの選択は、予め決めておくこともできるし、ランダムに選択することもできる。【００８２】
ステップＳ４において、ＣＰＲＩリンク終端部１１は、データを分割する。ＣＰＲＩリンク終端部１１は、ステップＳ３で選択したＣＰＲＩリンク３１ａ，３１ｂ，３１ｃ，…，３１ｎの数でデータを分割する。例えば、３つのＣＰＲＩリンク３１ａ，３１ｂ，３１ｃを選択した場合、データを３分割する。また、ＣＰＲＩリンク終端部１１は、共通制御情報と個別制御情報とを生成する。【００８３】
ステップＳ５において、ＣＰＲＩリンク終端部１１は、ステップＳ３で選択したＣＰＲＩリンク３１ａ，３１ｂ，３１ｃ，…，３１ｎで、分割したデータと共通制御情報と個別制御情報とを転送する。なお、ＣＰＲＩリンク終端部１１は、ＣＰＲＩフレームのVendor Specific領域に、共通制御情報と個別制御情報とを格納し、転送する。【００８４】
ステップＳ６において、ＲＥＣ２０のＣＰＲＩリンク終端部２１は、ＣＰＲＩリンク終端部１１から転送されるデータを受信する。
ステップＳ７において、ＣＰＲＩリンク終端部２１は、データの結合が必要か判断する。ＣＰＲＩリンク終端部２１は、ＣＰＲＩフレームのVendor Specific領域に共通制御情報が設定されているか否かでデータの結合が必要か否か判断する。データの結合が必要と判断した場合、ステップＳ８へ進む。データの結合が必要ないと判断した場合、ステップＳ１０へ進む。【００８５】
ステップＳ８において、ＣＰＲＩリンク終端部２１は、ＣＰＲＩフレームのVendor Specific領域から共通制御情報を取得し、データ結合対象となるＣＰＲＩリンク３１ａ，３１ｂ，３１ｃ，…，３１ｎを認識する。【００８６】
ステップＳ９において、ＣＰＲＩリンク終端部２１は、ステップＳ８で認識したＣＰＲＩリンク３１ａ，３１ｂ，３１ｃ，…，３１ｎから個別制御情報を取得する。ＣＰＲＩリンク終端部２１は、共通制御情報および個別制御情報から分割されたデータを結合し、元のデータを復元する。【００８７】
ステップＳ１０において、ＣＰＲＩリンク終端部２１は、復元したデータを呼制御部２２に出力する。
図９は、基地局の下りデータにおける動作を示したフローチャートである。基地局は、呼制御部２２から出力される下りデータを以下のステップに基づいて無線送信機１３へ転送する。【００８８】
ステップＳ２１において、ＲＥ２０のＣＰＲＩリンク終端部２１は、呼制御部２２からデータを受信する。
ステップＳ２２において、ＣＰＲＩリンク終端部２１は、呼制御部２２から受信したデータの分割が必要か否か判断する。例えば、ＣＰＲＩリンク終端部２１は、受信したデータの大きさとしきい値とを比較して、データの分割が必要か否か判断する。しきい値は、例えば、１ＣＰＲＩリンクで転送できるデータ転送量である。ＣＰＲＩリンク終端部１１は、データの分割が必要であると判断した場合、ステップＳ２３へ進む。データの分割が必要でないと判断した場合、ステップＳ２６へ進む。なお、データ分割の有無は、オペレータの設定により、予め固定的に決めておくこともできる。【００８９】
ステップＳ２３において、ＣＰＲＩリンク終端部２１は、分割したデータを転送するＣＰＲＩリンク３１ａ，３１ｂ，３１ｃ，…，３１ｎを選択する。例えば、ＣＰＲＩリンク終端部２１は、予め決まっているＣＰＲＩリンク３１ａ，３１ｂ，３１ｃ，…，３１ｎを選択する。または、全てのＣＰＲＩリンク３１ａ，３１ｂ，３１ｃ，…，３１ｎを選択する。または、転送量の少ないＣＰＲＩリンク３１ａ，３１ｂ，３１ｃ，…，３１ｎを所定数選択する。ＣＰＲＩリンクの選択方法は、オペレータによって、設定することができる。【００９０】
また、ＣＰＲＩリンク終端部１１は、共通制御情報を転送するＣＰＲＩリンク３１ａ，３１ｂ，３１ｃ，…，３１ｎを１つ選択する。このＣＰＲＩリンク３１ａ，３１ｂ，３１ｃ，…，３１ｎの選択は、予め決めておくこともできるし、ランダムに選択することもできる。【００９１】
ステップＳ２４において、ＣＰＲＩリンク終端部２１は、データを分割する。ＣＰＲＩリンク終端部２１は、ステップＳ２３で選択したＣＰＲＩリンク３１ａ，３１ｂ，３１ｃ，…，３１ｎの数でデータを分割する。例えば、３つのＣＰＲＩリンク３１ａ，３１ｂ，３１ｃを選択した場合、データを３分割する。また、ＣＰＲＩリンク終端部２１は、共通制御情報と個別制御情報とを生成する。【００９２】
ステップＳ２５において、ＣＰＲＩリンク終端部２１は、ステップＳ２３で選択したＣＰＲＩリンク３１ａ，３１ｂ，３１ｃ，…，３１ｎで、分割したデータと共通制御情報と個別制御情報とを転送する。なお、ＣＰＲＩリンク終端部２１は、ＣＰＲＩフレームのVendor Specific領域に、共通制御情報と個別制御情報とを格納し、転送する。【００９３】
ステップＳ２６において、ＲＥＣ１０のＣＰＲＩリンク終端部１１は、ＣＰＲＩリンク終端部２１から転送されるデータを受信する。
ステップＳ２７において、ＣＰＲＩリンク終端部１１は、データの結合が必要か判断する。ＣＰＲＩリンク終端部１１は、ＣＰＲＩフレームのVendor Specific領域に共通制御情報が設定されているか否かでデータの結合が必要か否か判断する。データの結合が必要と判断した場合、ステップＳ２８へ進む。データの結合が必要ないと判断した場合、ステップＳ３０へ進む。【００９４】
ステップＳ２８において、ＣＰＲＩリンク終端部１１は、ＣＰＲＩフレームのVendor Specific領域から共通制御情報を取得し、データ結合対象となるＣＰＲＩリンク３１ａ，３１ｂ，３１ｃ，…，３１ｎを認識する。【００９５】
ステップＳ２９において、ＣＰＲＩリンク終端部１１は、ステップＳ２８で認識したＣＰＲＩリンク３１ａ，３１ｂ，３１ｃ，…，３１ｎから個別制御情報を取得する。ＣＰＲＩリンク終端部１１は、共通制御情報および個別制御情報から分割されたデータを結合し、元のデータを復元する。【００９６】
ステップＳ３０において、ＣＰＲＩリンク終端部１１は、復元したデータを無線送信機１３に出力する。
このように基地局は、ＣＰＲＩで転送するデータを分割し、分割データを複数のＣＰＲＩリンクで転送する。そして、転送した分割データを元のデータに復元するようにした。【００９７】
これによって、ＣＰＲＩリンクの何れかにデータが集中しても、複数のＣＰＲＩリンクに分散して転送されるので、データの転送効率を高めることができる。
また、複数のＣＰＲＩリンクでデータを転送することで、１ＣＰＲＩリンクのデータ転送量を超えたデータ転送が可能となり、１セクタあたりのデータ転送量を増加させることが可能となる。【００９８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００９９】
１  基地局
２  分割手段
３  転送手段
４ａ〜４ｎ  ＣＰＲＩリンク
５  受信手段
６  復元手段
【図１】
2008114351.tif 000003
【図２】
2008114351.tif 000004
【図３】
2008114351.tif 000005
【図４】
2008114351.tif 000006
【図５】
2008114351.tif 000007
【図６】
2008114351.tif 000008
【図７】
2008114351.tif 000009
【図８】
2008114351.tif 000010
【図９】
2008114351.tif 000011
【図１０】
2008114351.tif 000012
【図１１】
2008114351.tif 000013
【図１２】
2008114351.tif 000014
【図１３】
2008114351.tif 000015
【図１４】
2008114351.tif 000016
【図１５】
2008114351.tif 000017
【図１６】
2008114351.tif 000018
【図１７】
2008114351.tif 000019
【図１８】
2008114351.tif 000020
【図１９】
2008114351.tif 000021
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
内部でのデータ転送を共通インターフェースに基づいた複数のリンクを介して行う基地局において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする基地局。
【請求項２】
前記転送手段は、前記復元手段が前記分割データを元の前記データに復元するための共通復元情報を前記複数のリンクの何れか１本を用いて転送することを特徴とする請求項１記載の基地局。
【請求項３】
前記共通復元情報は、前記分割データを転送する前記複数のリンクの情報を含むことを特徴とする請求項２記載の基地局。
【請求項４】
前記共通復元情報は、前記分割データを結合する順番の情報を含むことを特徴とする請求項２記載の基地局。
【請求項５】
前記共通インターフェースがＣＰＲＩ（Common Public Radio Interface）であって、前記転送手段は、前記共通復元情報を前記ＣＰＲＩのVendor Specific Informationに含めて転送することを特徴とする請求項２記載の基地局。
【請求項６】
前記復元手段は、前記Vendor Specific Informationに前記共通復元情報が含まれているか否かに基づいて、前記分割データを復元するか判断することを特徴とする請求項５記載の基地局。
【請求項７】
前記共通インターフェースがＣＰＲＩであって、前記転送手段は、前記分割データをどのBasic Frameを用いて転送したかを示す個別復元情報を、前記分割データを転送する前記複数のＣＰＲＩリンクを用いて転送することを特徴とする請求項１記載の基地局。
【請求項８】
前記転送手段は、前記個別復元情報を前記ＣＰＲＩのVendor Specific Informationに含めて転送することを特徴とする請求項７記載の基地局。
【請求項９】
前記復元手段は、前記個別復元情報に基づいて、前記Basic Frameを用いて転送された前記分割データを復元することを特徴とする請求項８記載の基地局。
【請求項１０】
内部でのデータ転送を共通インターフェースに基づいた複数のリンクを介して行う基地局の無線制御装置において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする無線制御装置。
【請求項１１】
内部でのデータ転送を共通インターフェースに基づいた複数のリンクを介して行う基地局の無線装置において、
転送するデータを分割する分割手段と、
分割された分割データを前記複数のリンクを用いて転送する転送手段と、
前記複数のリンクより転送される前記分割データを受信する受信手段と、
受信された前記分割データを元の前記データに復元する復元手段と、
を有することを特徴とする無線装置。
【請求項１２】
内部でのデータ転送を共通インターフェースに基づいた複数のリンクを介して行う基地局におけるデータ転送方法において、
転送するデータを分割し、
分割された分割データを前記複数のリンクを用いて転送し、
前記複数のリンクより転送される前記分割データを受信し、
受信された前記分割データを元の前記データに復元する、
ことを特徴とするデータ転送方法。
【国際調査報告】
2008114351.tif 000022
2008114351.tif 000023